(57)【特許請求の範囲】
【請求項１】
上部に開口部を有し、この開口部から内部に導入された液体を貯留する貯留部と、
一端が前記貯留部の底部に連結され他端がペットボトルの口部に装着されて前記貯留部に貯留された液体を内側流路を介して前記ペットボトルの内部に導く管部と、
前記管部に設けられて前記管部の内側流路を開閉する開閉機構とを備えた
ことを特徴とするペットボトル用急須。
【請求項２】
前記貯留部の開口部を着脱自在に塞ぐ蓋部を更に備えたことを特徴とする請求項１記載のペットボトル用急須。
【請求項３】
前記管部の前記貯留部と連結される側の端部が漉部によって仕切られていることを特徴とする請求項１又は２記載のペットボトル用急須。
【請求項４】
前記管部の前記ペットボトルの口部に装着されている側の内側面に、前記ペットボトルの口部のねじ部と螺合可能な雌ねじ部が形成されていることを特徴とする請求項１〜３のいずれか１項記載のペットボトル用急須。
【請求項５】
上部に開口部を有し、この開口部から内部に導入された液体を貯留する貯留部と、
一端が前記貯留部の上部に連結され、前記貯留部を１８０度回転した場合に他端がペットボトルの口部に装着されて前記貯留部に貯留された液体を内側流路を介して前記ペットボトルの内部に導く漏斗部と、
前記漏斗部に設けられて前記漏斗部の内側流路を開閉する開閉機構とを備えた
ことを特徴とするペットボトル用急須。
【請求項６】
前記貯留部の開口部の前記漏斗部と連結される側の端部が漉部によって仕切られていることを特徴とする請求項５記載のペットボトル用急須。
【請求項７】
前記ペットボトル用急須は、ポリプロピレンからなるものであることを特徴とする請求項１〜６のいずれか１項記載のペットボトル用急須。
【発明の詳細な説明】
【０００１】
【発明の属する技術分野】
この発明は、使用済みのペットボトルに直接取り付け、茶などの飲料を注入することができるペットボトル用急須に関する。
【０００２】
【従来の技術】
これまで、ペットボトルは、一般的に茶やジュースなどの中身に充填された飲料を飲み干した場合、そのまま捨てられるか又は回収されリサイクルに供されることが多かった。
【０００３】
【発明が解決しようとする課題】
しかし、ペットボトルはポリエチレンテレフタレート（ＰＥＴ）などの合成樹脂からなる構造のため、そのまま捨てられた場合は自然分解されずに永遠にゴミとして残ってしまう。また、リサイクルする場合は一端ペットボトルを細かく断裁して溶解し、他の製品等に再利用する必要があるため、ある程度のコストがかかってしまう。また、ペットボトルは取り扱いが簡単であるにもかかわらず容器としての汎用性は高いため、使用済みのものを再利用したいという要望も高まってきた。
【０００４】
この発明は、このような事情を考慮してなされたもので、使用済みのペットボトルに飲料を簡単に注入することができるペットボトル用急須を提供することを目的とする。
【０００５】
【課題を解決するための手段】
この発明に係る第１のペットボトル用急須は、上部に開口部を有し、この開口部から内部に導入された液体を貯留する貯留部と、一端が前記貯留部の底部に連結され他端がペットボトルの口部に装着されて前記貯留部に貯留された液体を内側流路を介して前記ペットボトルの内部に導く管部と、前記管部に設けられて前記管部の内側流路を開閉する開閉機構とを備えたことを特徴とする。
【０００６】
この発明の第１のペットボトル用急須によれば、液体を貯留する貯留部と、この貯留部に連結されると共にペットボトルの口部に装着される内側流路を備えた管部と、この管部に設けられ内側流路を開閉する開閉機構とを備えるペットボトル用急須を実現している。このため、開閉機構で内側流路を閉じた状態にした後、貯留部に液体（お湯など）と茶葉や茶葉を入れたティーバッグ等を入れてお茶を抽出したり、インスタントコーヒー等を作った後、開閉機構を操作して内側流路を開いた状態にすれば、簡単に使用済みのペットボトルにお茶等を注入することができる。これにより、ペットボトルの再利用を促進することが期待できる。
【０００７】
この発明に係る第２のペットボトル用急須は、上部に開口部を有し、この開口部から内部に導入された液体を貯留する貯留部と、一端が前記貯留部の上部に連結され、前記貯留部を１８０度回転した場合に他端がペットボトルの口部に装着されて前記貯留部に貯留された液体を内側流路を介して前記ペットボトルの内部に導く漏斗部と、前記漏斗部に設けられて前記漏斗部の内側流路を開閉する開閉機構とを備えたことを特徴とする。
【０００８】
この発明の第２のペットボトル用急須によれば、液体を貯留する貯留部と、この貯留部に連結されると共に貯留部を１８０度回転した場合にペットボトルの口部に装着される内側流路を備えた漏斗部と、この漏斗部に設けられ内側流路を開閉する開閉機構とを備えるペットボトル用急須を実現している。このため、貯留部に液体（お湯など）と茶葉や茶葉を入れたティーバッグ等、又はインスタントコーヒー等を入れて漏斗部を取り付け、お茶を抽出したりインスタントコーヒー等を作った後、漏斗部を取り付けた貯留部を１８０度回転させて開閉機構を操作して内側流路を開いた状態にすれば、簡単に使用済みのペットボトルにお茶等を注入することができると共に、漏斗部の一端を直接咥える等してお茶等を飲用することもできる。また、漏斗部の一端を直接カップ等の内側に向けて内側流路を開けば、ペットボトル以外のものにもお茶等を注入することができる。これにより、ペットボトルの再利用を促進することが期待できると共に、簡単にお茶等の抽出等を行うことが可能となる。
【０００９】
なお、第１のペットボトル用急須には、貯留部の開口部を着脱自在に塞ぐ蓋部が更に備えられていることが好ましい。貯留部の開口部を蓋部で塞ぐことにより茶葉を蒸らしてお茶の抽出を促すことが期待できるからである。この場合、蓋部は貯留部にはめ込み式やねじ込み式で取り付けられることが考えられる。
【００１０】
また、管部の貯留部と連結される側の端部が漉部によって仕切られていることが望ましい。このようにすれば、貯留部に入れた茶葉などが管部の内側流路内に詰まることがなくなるからである。ここで、漉部の材料としては、網状の樹脂板、ナイロンメッシュ又は不織布などが考えられる。
【００１１】
また、管部のペットボトルの口部に装着されている側の内側面に、ペットボトルの口部のねじ部と螺合可能な雌ねじ部が形成されていると良い。雌ねじ部が形成されることで、確実にペットボトルの口部を管部に装着することができるようになるからである。
【００１２】
なお、第２のペットボトル用急須の貯留部の開口部の漏斗部と連結される側の端部は、漉部によって仕切られていることが好ましい。このようにすれば、貯留部に入れた茶葉などが漏斗部の内側流路内に詰まることがなくなるからである。ここで、漉部の材料としては、上記と同様に、網状の樹脂板、ナイロンメッシュ又は不織布などが考えられる。
【００１３】
ここで、第１及び第２のペットボトル用急須の材料は、ポリプロピレンであることが好ましい。適度な耐熱性や良好な取扱性を備える安価な材料だからである。
【００１４】
【発明の実施の形態】
以下、添付の図面を参照して、この発明の実施例を説明する。
図１は、この発明の一実施例に係るペットボトル用急須を示す上方斜視図、図２は、このペットボトル用急須の縦断面図である。
図１及び図２に示すように、ペットボトル用急須１は、例えば、樹脂成型品である円筒形の急須本体部１０と、この急須本体部１０に取り付けられる蓋部３０とから構成される。なお、この例では急須本体部１０と蓋部３０とは、一体成型により製造され、ヒンジ部７０を介して結合された状態からなる。急須本体部１０は、上部開口部１５から導入される、例えばお湯などの液体、茶葉及びティーバッグなどを内部に貯留する貯留部１１と、この貯留部１１の下部に形成され、貯留部１１に貯留された液体をペットボトル１００に注入するための管部１２とからなる。
【００１５】
貯留部１１の底部には、貯留部１１に貯留された液体を貯留部１１から流出するための流出口１３が形成され、この流出口１３は、管部１２内に設けられた流路１４と連結している。流路１４内には、管部１２の外側に設けられた操作レバー１６と連動して開閉される弁１７が備えられ、この弁１７で流路１４を仕切ることにより、貯留部１１内に液体等を貯留することができる。なお、操作レバー１６と弁１７などで開閉機構を構成する。
【００１６】
この流路１４の下部には、流路１４内に流入した液体を外部に流出するための注出口１８が設けられ、この注出口１８の開口部周縁には、例えば漏れ防止のためのパッキン等からなるシール材１９が取り付けられている。また、管部１２には、空気抜き用の空気穴１２ａが設けられている。更に、管部１２の開口部内側面（内壁）には、ペットボトル１００の口部１０１のねじ込み部分に着脱自在に取り付けられる（ねじ込められる）雌ねじ部２０が形成されている。このため、管部１２にペットボトル１００が確実に取り付けられると、ペットボトル１００の口部１０１の先端がシール材１９と密接し、流路１４からの液体の漏れを確実に防ぐことができる構造となっている。
【００１７】
なお、流路１４内に備えられた弁１７は、管部１２に設けられた弁機構取付部２１を介して操作レバー１６と連結されているため、この弁機構取付部２１から流路１４内に流入した液体が管部１２の外部に漏れることを防ぐため、この弁機構取付部２１も防水処理がなされている。
【００１８】
また、貯留部１１の流出口１３には、貯留部１１内に入れた茶葉等が流路１４内に流入することを防止するための網状の樹脂製板、ナイロンメッシュ及び不織布などからなるメッシュ状の漉部２２が取り付けられている。この漉部２２には、流出口１３の内壁と嵌合する嵌合凸部２３が形成されているため、上部開口部１５から漉部２２を流出口１３に嵌め込んで取り付けると確実に取り付けることができる構造となっている。
【００１９】
一方、蓋部３０は、この例では急須本体部１０に嵌め込んで取り付け、上部開口部１５を塞ぐ構造となっており、この蓋部３０には、所定の口径を有する孔３１と、この孔３１に取り付けられる孔蓋３２とから構成される蒸気孔部３３が形成されている。なお、孔蓋３２は、蓋部３０の側面にヒンジ部７１を介して連結されている。この孔蓋３２を孔３１に取り付け、貯留部１１に液体等を入れた急須本体部１０に蓋部３０を取り付ければ、急須本体部１０を多少振ったりしても上部開口部１５から液体等が漏れ出すことを防止することができる。なお、この蓋部３０は、上部開口部１５にねじ込んで取り付ける構造でも良い。
【００２０】
このようにして構成されるペットボトル用急須１によると、操作レバー１６を操作し弁１７を閉じた状態にして流路１４を仕切り、上部開口部１５からお湯と茶葉や茶葉を入れたティーバッグなどを貯留部１１内に入れて蓋部３０を急須本体部１０に取り付け、貯留部１１内の茶葉等からお茶を抽出し、その後に急須本体部１０の管部１２をペットボトル１００に取り付けて弁１７を開いた状態にすれば、簡単に使用済みのペットボトル１００にお茶を注入することができる。
【００２１】
図３は、この発明の他の実施例に係るペットボトル用急須を示す上方斜視図、図４は、このペットボトル用急須の縦断面図である。なお、以下において、既に説明した部分と重複する説明は割愛する。
図３及び図４に示すように、ペットボトル用急須２は、円筒形の急須本体部４０と、この急須本体部４０に取り付けられる蓋部５０と、急須本体部４０の管部４２に取り付けられる円筒形の連結部６０とから構成される。急須本体部４０は、上部開口部４５から入れたお湯などの液体及び茶葉を入れたティーバッグなどを内部に貯留する貯留部４１と、この貯留部４１の下部に形成され、貯留部４１に貯留された液体をペットボトル１００に注入するための管部４２とからなる。
【００２２】
貯留部４１の底部には、貯留部４１に貯留された液体を貯留部４１から流出するための流出口４３が形成され、この流出口４３は、管部４２内に設けられた流路４４と連結しており、この流路４４の流出口４３と反対側には、流路４４を通って貯留部４１から流出してきた液体を外部に流出する注出口４８が形成されている。
【００２３】
連結部６０は、内部に管部４２の開口部の口径よりも小さい径で、注出口４８と同径若しくは小さい径の口径を有する連結流路６１を有し、連結部６０の両開口部側の内壁には、管部４２の外壁に形成されたねじ込み部分とペットボトル１００の口部１０１のねじ込み部分に着脱自在に取り付けられる（ねじ込められる）雌ねじ部２０ａ，２０ｂが形成されている。連結流路６１内には、連結部６０の外側に設けられた操作レバー６６と連動して開閉される弁６７が備えられ、この弁６７で連通流路６１を仕切ることができる。また、連結部６０には、空気抜き用の空気穴６０ａが設けられている。更に、連結流路６１の両開口部周縁には、漏れ防止のためのパッキン等からなるシール材１９ａ，１９ｂがそれぞれ取り付けられている。このため、連結部６０に管部４２及びペットボトル１００が確実に取り付けられると、管部４２の先端がシール材１９ａと、ペットボトル１００の口部１０１の先端がシール材１９ｂとそれぞれ密接する。従って、連結部６０と管部４２及びペットボトル１００との連結部分からの液体の漏れを確実に防ぐことができると共に、弁６７で連通管路６１を仕切ることにより貯留部４１内に液体等を貯留することができる構造となっている。
【００２４】
なお、連通流路６１内に備えられた弁６７は、連結部６０に設けられた弁機構取付部６２を介して操作レバー６６と連結されているため、この弁機構取付部６２から連通流路６１内に流入した液体が連結部６０の外部に漏れることを防ぐため、この弁機構取付部６２も防水処理がなされている。
【００２５】
一方、蓋部５０は、急須本体部４０にはめ込み／ねじ込みなどの方式により取り付けられるもので、上部開口部４５を塞ぐ構造となっており、この蓋部５０には、所定の口径を有する孔５１と、この孔５１に取り付けられる孔蓋５２とから構成される蒸気孔部５３が形成されている。なお、孔蓋５２は、蓋部５０の側面にヒンジ部７２を介して連結されている。この孔蓋５２を孔５１に取り付け、貯留部４１に液体等を入れた急須本体部４０に蓋部５０を取り付ければ、急須本体部４０を振ってお茶の抽出を促したりしても急須本体部４０の上部開口部４５から貯留部４１内の液体等が外部に漏れ出すのを防止することができる。
【００２６】
このようにして構成されるペットボトル用急須２によると、連結部６０を急須本体部４０の管部４２に取り付け、操作レバー６６を操作して弁６７を閉じた状態にし連通流路６１を仕切ったうえで、急須本体部４０の上部開口部４５からお湯と茶葉を入れたティーバッグを貯留部４１内に入れて蓋部５０を急須本体部４０に取り付け、貯留部４１内のティーバッグからお茶を抽出し、その後に連結部６０をペットボトル１００に取り付けて弁６７を開いた状態にすれば、上記ペットボトル用急須１と同様に簡単に使用済みペットボトル１００にお茶を注入することができる。
【００２７】
なお、この例のペットボトル用急須２では、急須本体部４０として、使用済みのペットボトルを利用することができる。この場合、使用済みのペットボトルの胴部を切断してペットボトルの口部からキャップを取り外し、この口部を連結部６０に取り付けるだけで、十分に使用に耐え得る急須本体部４０を構成することができる。これにより、使用済みペットボトルを更に有効活用することができるようになる。また、図４に示すように、急須本体部４０の流出口４３には、茶葉やティーバッグなどが流路４４や連通流路６１内に流入しないようにするための漉部６３が取り付けられていても良い。この漉部６３の流出口４３への取付側には、流出口４３の内壁と嵌合する嵌合凸部６４が形成されているため、上部開口部４５から漉部６３を流出口４３に嵌め込んで取り付けると確実に取り付けることができ、茶葉やティーバッグなどを確実に堰き止めることが可能となる。
【００２８】
以下、この例のペットボトル用急須２を用いた使用済みペットボトル１００へのお茶の注入過程を図面を参照しながら説明する。
図５は、ペットボトルにお茶を注入する様子を説明するための図である。
まず、図５（ａ）に示すように、急須本体部４０の管部４２に連結部６０の一方の開口端を確実に取り付け、連結部６０に設けられた操作レバー６６を操作して連結部６０の連通流路６１内の弁６７を閉じた状態にする。そして、漉部６３を流出口４３に予め取り付けておき、上部開口部４５から茶葉を入れたティーバッグ４７を貯留部４１内に投入する。なお、急須本体部４０の貯留部４１の内壁には、例えば貯留部４１に注入する湯量を目視で確認することができるように目盛り線などが形成されていても良い。
【００２９】
次に、同図（ｂ）に示すように、急須本体部４０の貯留部４１内にポット１１０等を用いて上部開口部４５から所定量のお湯４８を注入する。お湯４８を注入した後は、同図（ｃ）に示すように、急須本体部４０の上部開口部４５を塞ぐように、蒸気孔部５３の孔５１に孔蓋５２を取り付けた状態の蓋部５０を急須本体部４０に取り付け、直ぐに孔蓋５２を取り外し孔５１を開放状態にする。そして、所定の時間（１〜２分）が経過したら孔蓋５２を取り付けて（閉めて）急須本体部４０を振り、貯留部４１内部のティーバッグ４７からお茶の原液（濃いお茶）を抽出する。こうして抽出されたお茶の原液にが入った貯留部４１に所定量の水を注ぎ、再度急須本体部４０を振って液体を攪拌することで濃い目のお茶が出来上がる。
【００３０】
次に、同図（ｄ）に示すように、ペットボトル１００の口部１０１に連結部６０の他方の開口端を確実に取り付け、同図（ｅ）に示すように、操作レバー６６を操作して弁６７を開いた状態にし、貯留部４１内部の濃い目のお茶（液体）４８をペットボトル１００内に注入する。更に、同図（ｆ）に示すように、ペットボトル１００内に水を追加し、好みの濃度に調整して冷蔵庫等で冷やせば、ペットボトル冷茶が出来上がる。
【００３１】
図６は、この発明の更に他の実施例に係るペットボトル用急須を示す側面図、図７は、図６の縦断面図である。
図６及び図７に示すように、ペットボトル用急須３は、例えば樹脂成型品である円筒形の急須本体部２００と、この急須本体部２００の上部に取り付けられる漏斗部３００とから構成される。急須本体部２００は、例えば上部開口部２０１から入れたお湯等の液体２０２及び茶葉を入れたティーバッグ２０３など内部に貯留する貯留部２０４を備える。
【００３２】
貯留部２０４の上部には、貯留部２０４内に液体２０２、ティーバッグ２０３等を入れるため、及び貯留部２０４に貯留された液体２０２を貯留部２０４から流出するための上部開口部２０１が形成され、この上部開口部２０１には、上部開口部２０１からのティーバッグ２０３等の流出を防止するための漉部２０５が取り付けられている。また、上部開口部２０１の壁部には、漏斗部３００の取付部３０１の内壁に形成された係合穴３０２と係合する係合凸部２０６が形成されている。
【００３３】
一方、漏斗部３００は、取付部３０１の上部に開閉機構を備える管部３０３を備え、この管部３０３は、貯留部２０４に貯留された液体２０２を貯留部２０４から流出するための流出口３０４を取付部３０１側に備え、この流出口３０４は、管部３０３内に形成された流路３０５と連結している。流路３０５内には、管部３０３の外側に設けられた操作レバー３０６と連動して開閉される弁３０７が備えられ、この弁３０７で流路３０５を仕切ることにより、漏斗部３００を取り付けた急須本体部２００を１８０度回転させた状態（逆さにした状態）でも、貯留部２０４及び取付部３０１内に液体２０２等を貯留することができる。なお、操作レバー３０６と弁３０７等で開閉機構を構成する。また、この流路３０５の上部には、流路３０５内に流入した液体２０２を外部に流出するための注出口３０８が設けられている。
【００３４】
なお、急須本体部２００の上部開口部２０１の開口部周縁には、例えば漏れ防止のためのパッキン等からなるシール材２０９が取り付けられているため、漏斗部３００の取付部３０１との取り付け部分からの液体２０２の流出を防止することができる。また、管部３０３の流路３０５内に備えられた弁３０７は、管部３０３に設けられた弁機構取付部３０９を介して操作レバー３０６と連結されているため、この弁機構取付部３０９から流路３０５内に流入した液体２０２が管部３０３の外部に漏れることを防止すべく、この弁機構取付部３０９にもシール材２１０ａ，２１０ｂが取り付けられ防水処理がなされている。
【００３５】
また、管部３０３には、空気抜き用の空気穴３１０が設けられ、流路３０５を開いた状態にしたときに空気穴３１０も開くように構成されている。この例のペットボトル用急須３では、通常状態で漏斗部３００が急須本体部２００の上部に取り付けられるため、流路３０５をいわゆる蒸気穴として利用し、弁３０７をいわゆる蒸気弁として利用することもできる。なお、この例では弁３０７を弁機構取付部３０９に取り付けるのに、弁３０７を挿入して弁３０７の挿入方向先端部を外壁に引掛けて取り付ける方式を採用しているが、図８に示すように、クリップ部３１１を弁３０７の挿入方向先端部に取り付けて弁３０７を弁機構取付部３０９に取り付けるようにしても良い。これらの弁取付構造を採用すれば、安価に開閉機構を備えることができる。
【００３６】
この例のペットボトル用急須３を用いれば、図９に示すように、ペットボトル用急須３を１８０度回転させた状態でペットボトル１００の口部１０１に漏斗部３００の管部３０３を取り付け、操作レバー３０６を操作して弁３０７を開いた状態にするだけで、流路３０５及び空気穴３１０を開くことができるので、簡単にペットボトル１００内に液体２０２等を注入することができる。なお、このペットボトル用急須３は、例えばポリプロピレンからなるため、液体２０２がお湯であっても変形等することなく簡単に液体２０２等をペットボトル１００に注入することができると共に、ペットボトル以外のものにも簡単に注入することができる。
【００３７】
【発明の効果】
以上述べたように、この発明の第１のペットボトル用急須によれば、液体を貯留する貯留部と、この貯留部に連結されると共にペットボトルの口部に装着される内側流路を備えた管部と、この管部に設けられ内側流路を開閉する開閉機構とを備えるペットボトル用急須を実現している。このため、開閉機構で内側流路を閉じた状態にした後、貯留部に液体（お湯など）と茶葉や茶葉を入れたティーバッグ等を入れてお茶を抽出したり、インスタントコーヒー等を作った後、開閉機構を操作して内側流路を開いた状態にすれば、簡単に使用済みのペットボトルにお茶を注入することができる。これにより、ペットボトルの再利用を促進することが期待できるという効果を奏する。
【００３８】
また、この発明の第２のペットボトル用急須によれば、液体を貯留する貯留部と、この貯留部に連結されると共に貯留部を１８０度回転した場合にペットボトルの口部に装着される内側流路を備えた漏斗部と、この漏斗部に設けられ内側流路を開閉する開閉機構とを備えるペットボトル用急須を実現している。このため、貯留部に液体（お湯など）と茶葉や茶葉を入れたティーバッグ等、又はインスタントコーヒー等を入れて漏斗部を取り付け、お茶を抽出したりインスタントコーヒー等を作った後、漏斗部を取り付けた貯留部を１８０度回転させて開閉機構を操作して内側流路を開いた状態にすれば、簡単に使用済みのペットボトルにお茶等を注入することができると共に、漏斗部の一端を直接咥える等してお茶等を飲用することもできる。また、漏斗部の一端を直接カップ等の内側に向けて内側流路を開けば、ペットボトル以外のものにもお茶等を注入することができる。これにより、ペットボトルの再利用を促進することが期待できると共に、簡単にお茶等の抽出等を行うことが可能となるという効果を奏する。
【図面の簡単な説明】
【図１】  この発明の一実施例に係るペットボトル用急須を示す上方斜視図である。
【図２】  同ペットボトル用急須の縦断面図である。
【図３】  この発明の他の実施例に係るペットボトル用急須を示す上方斜視図である。
【図４】  同ペットボトル用急須の縦断面図である。
【図５】  同ペットボトル用急須を用いてペットボトルにお茶を注入する様子を説明するための図である。
【図６】  この発明の更に他の実施例に係るペットボトル用急須を示す側面図である。
【図７】  同ペットボトル用急須の縦断面図である。
【図８】  同ペットボトル用急須の異なる弁の取付構造を説明するための縦断面図である。
【図９】  同ペットボトル用急須を用いてペットボトルにお茶を注入する様子を説明するための図である。
【符号の説明】
１，２，３…ペットボトル用急須、１０，４０，２００…急須本体部、１１，４１，２０４…貯留部、１２，４２，３０３…管部、１３，４３，３０４…流出口、１４，４４，３０５…流路、１５，４５，２０１…上部開口部、１６，６６，３０６…操作レバー、１７，６７，３０７…弁、１８，４８，３０８…注出口、１９，２０９，２１０…シール材、２０…雌ねじ部、２１，６２，３０９…弁機構取付部、２２，６３，２０５…漉部、２３，６４…嵌合凸部、３０，５０…蓋部、３１，５１…孔、３２，５２…孔蓋、３３，５３…蒸気孔部、６０…連結部、６１…連通流路、２０６…係合凸部、３００…漏斗部、３０１…取付部、３０２…係合穴。
【図１】
0003887560.tif 000002
【図２】
0003887560.tif 000003
【図３】
0003887560.tif 000004
【図４】
0003887560.tif 000005
【図５】
0003887560.tif 000006
【図６】
0003887560.tif 000007
【図７】
0003887560.tif 000008
【図８】
0003887560.tif 000009
【図９】
0003887560.tif 000010